(57)【要約】  【課題】  簡単に且つ確実に継ぎ目の固着を解除でき、解除操作時に節が折れ曲がる等の破損の危険性を低くできる振出竿固着解除器を提供する。  【解決手段】  本発明に係る解除器１０は、長方形をした２枚の帯状のベルト１１を備えている。これらベルト１１は、竿の節Ｔ、Ｂの外周に巻き付け可能であり、柔軟で竿表面との摩擦係数の高いゴム等の材料で形成されている。２枚のベルト１１の間には、弾性率が高く伸びにくい横糸１３が複数張られている。本解除器１０は、横糸１３が継ぎ目Ｘを跨ぐように、ベルト１１を各節Ｔ、Ｂの外周に沿って巻き付ける。そして、継ぎ目Ｘを挟んで両側２節Ｔ、Ｂに巻き付いているベルト１１をそれぞれ掴んで、互いに逆方向にねじると、横糸１３の張力が両節Ｔ、Ｂを引き寄せ合う力Ｆとして働く。このようにして、節Ｔがねじられながら節Ｂに押し込まれていき、継ぎ目の固着が解除されていく。【選択図】    図２
2007111014.tif 000002
【特許請求の範囲】
【請求項１】
振出竿の隣り合う２節の継ぎ目の固着を解除するために用いる振出竿固着解除器であって、
竿の外周に巻き付け可能な、柔軟で竿表面との摩擦係数の高い材料からなる複数のベルトと、
該複数のベルト間に配設された、弾性率の高い糸状体と、
を具備することを特徴とする振出竿固着解除器。
【請求項２】
振出竿の隣り合う２節の継ぎ目の固着を解除するために用いる振出竿固着解除器であって、
竿の外周に巻き付け可能な、柔軟で竿表面との摩擦係数の高い材料からなるベルトと、
該ベルトの中又は表面に配設された、弾性率の高い糸状体と、
を具備することを特徴とする振出竿固着解除器。
【発明の詳細な説明】
【技術分野】
【０００１】
本発明は、振出竿の隣り合って嵌合する２節の継ぎ目の固着を解除するために用いる振出竿固着解除器に関する。特には、簡単に且つ確実に継ぎ目の固着を解除でき、解除操作時に節が折れ曲がる等の破損の危険性を低くできる振出竿固着解除器に関する。
【背景技術】
【０００２】
まず、図７及び図８を参照しつつ、振出竿の典型例について説明する。
図７は、振出竿の典型例を示す図である。（Ａ）は収納時の縮めた状態を示す斜視図であり、（Ｂ）は使用時の延ばした状態を示す斜視図であり、（Ｃ）は使用時における２節の継ぎ目を示す断面拡大図である。
図８は、図７の振出竿の使用状態を模式的に示す図である。
図７及び図８に示す振出竿１は、リールを使用しないタイプの釣り竿である。この振出竿１は、複数（この例では計１０個）のスリーブ状の節２を備えており、全体が伸縮式アンテナのような構造となっている。このような振出竿１は、かつてはグラスファイバー製のものが多かったが、最近はより軽量で高強度の高密度カーボン繊維製ものが多い。
【０００３】
振出竿１において、図７（Ａ）及び（Ｂ）の左側が最も竿先側の節（竿先部）２Ｔであり、右側が最も竿元側の節（竿元部）２Ｂである。竿先部２Ｔの先端には、図８に示す道糸（仕掛け）３を取り付けるためのリング２Ｔ′が形成されている。竿元部２Ｂの後端は、着脱自在な留め具２Ｂ′で塞がれている。振出竿１は、竿元部２Ｂから竿先部２Ｔへと各節２が段々細くなるように形成されている（図７（Ｂ）参照）とともに、各々の節２自体も後端側から先端側に向けて徐々に細くなるようにテーパが付けられている（図７（Ｃ）参照）。
【０００４】
使用時に振出竿１を延ばしたときは、図７（Ｂ）に示すように、各節２がそれぞれ連なるように延び出て１本の竿になる。このとき、図７（Ｃ）に示すように、竿先側に位置する節Ｔの後端部外径Ｔｄが、竿元側に位置する節Ｂの先端部内径Ｂｄよりも太く形成されているため、２節Ｔ、Ｂの継ぎ目Ｘでは、竿先側の節Ｔの後端部が竿元側の節Ｂの先端部内で止まり、両者間が密に接して固定される。なお、使用時において、竿元部２Ｂは、人手で握るためのグリップの役割を果たす。
【０００５】
一方、携帯時に振出竿１を縮めるときには、図７（Ａ）に示すように、竿先側の節が隣り合う竿元側の節の内部に重なって配置されるよう、竿元部２Ｂ内に先側の各節が収納される。竿元部２Ｂ内に先側の各節が完全に収納された後、竿元部２Ｂの先端には図示せぬキャップが取り付けられる。このように、携帯時（収納時）において、竿元部２Ｂはそれよりも先側の各節を収納するケースの役割を兼ねる。
【０００６】
このような振出竿は、近年、より細く、より軽量で、より高強度であるものが要求されている。あるいは、収納状態（図７（Ａ）参照）をよりコンパクト化して、携帯時に嵩張らないようにすることが要求されている。そこで、最近の振出竿は、より細く、より軽量にするため、竿全体のテーパを小さくして各節の１本１本を細く形成し、各節の肉厚を薄くしたものが多くなってきている。また、振出竿の軽量化及び高強度化を実現するため、各節の素材に高密度カーボン繊維を用いていることは、前述した通りである。さらに、最近の振出竿は、各節の長さを短くするとともに節の数（継ぎ数）を増やすことで、収納時の長さ寸法を短くし、携帯性に嵩張らないようにしたものが多くなってきている。このように、性能向上を図った最近の振出竿は、一例で、渓流竿１本１０万円のもの、鮎竿１本６０万円のもの等、高価なものもある。
【０００７】
ところで、図８に示すように、振出竿１を使用する際には、竿先部２Ｔの先端（図７（Ａ）に示すリング２Ｔ′）に道糸３を直接取り付ける。そのため、魚がかかると、道糸３を介して竿１全体が竿先側に引っ張られることとなる。そのため、竿１の各節の継ぎ目Ｘ（図７（Ｃ）参照）においては、竿先側に位置する節Ｔの外周面と、竿元側に位置する節Ｂの内周面とがより強く密着することとなる。特に、図８に示すように、竿１の竿先寄りの部分Ｃには、道糸３の延び方向と同一方向に引っ張り力が加わるため、継ぎ目Ｘが一層強固に密着することとなる。
【０００８】
このように、振出竿１の継ぎ目Ｘを密着させる力が働き続けると、竿先側の節Ｔの外周面と竿元側の節Ｂの内周面とが互いに食い込むようになり、場合によっては継ぎ目Ｘが強固に密着し、互いに動かない状態となることがある（本明細書では、この状態を「継ぎ目の固着」という）。継ぎ目の固着が生じると、釣りをした後に、図７（Ａ）のように各節２を縮めようとするときに、継ぎ目Ｘが動かずに竿を収納できなくなるという問題が起こる。なお、リールを使用するタイプの竿の場合、竿にはガイドが取り付けてあり、道糸だけが引っ張られるため、継ぎ目の固着は起こりにくい。
【０００９】
最近の振出竿は、前述したように、より細く、より軽量にするために竿全体のテーパを小さくしたものが多く、竿先寄りの各節の外径は２〜５ｍｍ程度のものが多い。このような振出竿（特に径の小さい竿先寄りの各節）では、あたかもテーパの小さなクサビはより小さな力で打ち込むことができるように、継ぎ目Ｘの食い込みが生じやすくなる。さらに、図８に示すように、振出竿１の竿先寄りの部分Ｃ（竿の先端から１〜２ｍ程度の部分）は、釣りの最中に水に浸かったり、水がかかったりすることが多い。そして、継ぎ目Ｘに水が侵入した状態で力がかかると、継ぎ目Ｘの両接触面間が滑りやすくなるため、食い込みがより生じやすくなる。このような理由から、振出竿１の竿先寄りの各節では、継ぎ目の固着が一層起こりやすい。
【００１０】
現在のところ、前述のような振出竿の継ぎ目の固着を解除するために、以下に述べるような対策が採られている。
図９は、振出竿の隣り合う２節の継ぎ目の固着解除構造の一例を示す断面図である。
この例は、各節の継ぎ目Ｘにおいて内側に配置される部分（各節の後端部）の外周面に、周方向に沿う浅い円周溝５が３箇所形成されているものである。これらの円周溝５は、継ぎ目Ｘに水が侵入した際の水の逃げ場となるので、継ぎ目Ｘの両接触面間の滑りを抑制できる。また、円周溝５が形成されていることで、継ぎ目Ｘにおける内外周面の接触面積が減るため、継ぎ目の固着が生じたとしても小さな力で解除できる。
しかしながら、この例のように円周溝５を形成したとしても、継ぎ目Ｘにより大きな引っ張り力が加わった場合には、強固な密着が生じることに変わりはない。そのため、円周溝５を形成するだけでは、継ぎ目の固着を解除するための充分な対策とはいえない。
【００１１】
図１０は、振出竿の隣り合う２節の継ぎ目の固着解除方法の一例を示す図である。
この方法は、木片等のあまり固くない材質の台６を用いる。継ぎ目の固着が起こった場合は、図７（Ａ）に示す留め具２Ｂ′を外し、竿元部２Ｂの後端側から固着した２節Ｔ、Ｂのみを取り出す。そして、これら２節Ｔ、Ｂを台６の上に垂直にトントンと落として、その際の衝撃で継ぎ目Ｘの固着を解除する。なお、台が石等の硬い材質であると、落としたときに節Ｔ、Ｂが破損するおそれもあるため、そのような台は用いないよう注意が必要である。
この方法は、竿元寄りの節（比較的重量があって太い節）の固着を解除する場合には多少の効果はあるが、竿先寄りの節の場合は、節自体が軽くて細いため、簡単に固着を解除することができない。
【００１２】
図１１は、固着の解除に用いることのできるバンドの例を示す図である。（Ａ）はバンドを示す図であり、（Ｂ）はバンドの使用方法を説明するための図である。
図１２（Ａ）は振出竿の隣り合う２節の継ぎ目を示す断面拡大図であり、図１２（Ｂ）は振出竿の隣り合う２節の継ぎ目の固着解除操作時に起こり得る問題点を説明するための断面図である。
この例では、図１１（Ａ）に示すようなゴム製のバンド７を用いる。このバンド７は、本来は並継竿（海釣り用等に提供されている比較的太い竿であって、１本ずつバラバラになっている節を繋いで使用する方式のもの）の各節等を束ねるためのものであるが、継ぎ目の固着を解除する際にも使用できるとされているものである。固着を解除する際には、図１１（Ｂ）に示すように、継ぎ目Ｘを挟んで両側の２節Ｔ、Ｂそれぞれにバンド７を巻き付け、その上から指で掴む等をして力を加え、固着を解除する。
しかしながら、この例のバンド７は、そもそも並継竿の各節等を束ねるためのものであって、継ぎ目の固着を解除するためのものではない。バンド７を用いて継ぎ目の固着を解除し得るといっているのは、バンド７が滑り止めの役割を果たすので、指で掴みやすくなり、力を加えやすくなるという程度のことであると考えられる。
【００１３】
さらに、並継竿の継ぎ目と振出竿の継ぎ目とは構造が異なるため、仮に並継竿の継ぎ目の固着を適切に解除できたとしても、振出竿の継ぎ目の固着をも同様に解除できるとは言いがたい。詳しく述べると、並継竿は、１本ずつバラバラになっている節を繋ぐ方式であるため、その２節の継ぎ目が固着した場合は、両節を掴んで多少ねじりながら引き離すようにすればよい。そのため、並継竿の継ぎ目の固着を解除する際には、図１１のバンド７を使用する又は使用しないにかかわらず、２節を引き離す方向にだけ力を加えればよく、節が破損する等のトラブルは起こりにくい。
【００１４】
ところが、振出竿の継ぎ目の固着を解除するためには、図１２（Ａ）にわかりやすく示すように、２節Ｔ、Ｂを多少ねじってねじりモーメントＭを加えながら、互いに押し付け合うような力Ｆを加えなければならない。そのため、図１２（Ｂ）に示すように、２節Ｔ、Ｂが座屈して湾曲するような形となり、両者の軸芯Ｏを一直線上に保つことが難しく、節が曲がりやすい。特に、竿先部寄りの節は、前述したように水に浸かったりする等の理由で継ぎ目の固着が起こりやすい上に、外径が小さく且つ肉厚も薄い。このような竿先部寄りの節の継ぎ目に固着が生じた場合に、許容範囲以上に節を曲げてしまうと、折れ曲がって破損する等のトラブルが起こりやすい。前述の通り、高性能の振出竿は高価なものが多いため、破損時の損害は多大である。そのため、振出竿の継ぎ目の固着を解除する際には、できるだけ継ぎ目Ｘに近い箇所を指先でしっかりと押えつつ、軸芯Ｏがずれて節が曲がらないように細心の注意を払う必要がある。
【００１５】
しかし、細心の注意を払ったとしても、竿先部寄りの節は外径が小さいため、節と指先との間の摩擦は小さい。そのため、例えば指先が濡れていたり、雨の中で作業を行ったりする場合には、指先が滑って力を加えにくい。さらに、竿先部寄りの細い節は、固着解除の際多少ねじったときに生じるねじりモーメントが小さいので、ねじりモーメントを大きくするために必要以上の力を加えて節を曲げてしまう可能性が高い。なお、現実には、滑り止めのための厚さの薄いゴムバンドや輪ゴム等を予め用意しておき、これを図１１（Ｂ）のように巻き付け、ゆっくりとねじりながら２節を押し付け合うようにして解除していることが多いが、釣り経験の豊富な人でも節を曲げてしまうことがある。そのため、簡単に且つ確実に継ぎ目の固着を解除できる手段が求められている。
【発明の開示】
【発明が解決しようとする課題】
【００１６】
本発明は、前述の問題を解消するためになされたものであって、簡単に且つ確実に継ぎ目の固着を解除でき、解除操作時に節が折れ曲がる等の破損の危険性を低くできる振出竿固着解除器を提供することを目的とする。
【課題を解決するための手段】
【００１７】
本発明の第１の振出竿固着解除器は、振出竿の隣り合う２節の継ぎ目の固着を解除するために用いる振出竿固着解除器であって、  竿の外周に巻き付け可能な、柔軟で竿表面との摩擦係数の高い材料からなる複数のベルトと、  該複数のベルト間に配設された、弾性率の高い糸状体と、を具備することを特徴とする。
【００１８】
この振出竿固着解除器を用いる際には、まず、延びた状態で固着している隣同士の節の継ぎ目を跨ぐように糸状体を配置するとともに、ベルトを各節の外周に沿って巻き付ける。この状態から、継ぎ目を挟んで両側２節に巻き付いているベルトをそれぞれ掴んで、互いに逆方向にねじる。このとき、ベルトを巻き付けた部分の外径は、元の竿径よりも大きくなっているので、小さな力でねじっても比較的大きなモーメントが生じる。ベルトは、高い摩擦力で節の表面にしっかりと巻き付いているので、ねじると同時に各節が周方向に回り始めようとする。ベルトを掴んでねじるときは、糸状体の張力が節の曲がりに対する抵抗となるため、誤って節を曲げて破損したりする危険性が減る。
【００１９】
糸状体は、弾性率が高く伸びにくいため、ねじりが進むに連れて延ばされて、それらの張力が両節を引き寄せ合う力として働く（詳しくは図２、３を参照しつつ後述する）。このようにして、一方の節がねじられながら他方の節に押し込まれていき、継ぎ目の固着が解除されていく。ベルトを巻き付けたとき、糸状体は継ぎ目の周囲に張り廻らされるので、その張力が前述の引き寄せ合う力を２節の軸芯上で作用させるための補助ともなる。これによっても、ベルトを掴んでねじる際に、誤って節を曲げて破損したりする危険性を減らすことができる。このように、本解除器を用いると、解除操作時に節が折れ曲がる等の破損の危険性を減らしつつ、簡単に且つ確実に継ぎ目の固着を解除できる。
【００２０】
本発明の第２の振出竿固着解除器は、振出竿の隣り合う２節の継ぎ目の固着を解除するために用いる振出竿固着解除器であって、  竿の外周に巻き付け可能な、柔軟で竿表面との摩擦係数の高い材料からなるベルトと、  該ベルトの中又は表面に配設された、弾性率の高い糸状体と、を具備することを特徴とする。
この解除器も、前述の解除器と同様に、解除操作時に節が折れ曲がる等の破損の危険性を少なくしつつ、簡単に且つ確実に継ぎ目の固着を解除できる。
【発明の効果】
【００２１】
本発明によれば、簡単に且つ確実に継ぎ目の固着を解除でき、解除操作時に節が折れ曲がる等の破損の危険性を低くできる振出竿固着解除器を提供することができる。
【発明を実施するための形態】
【００２２】
以下、本発明の実施の形態について、図面を参照しながら詳細に説明する。
図１は、本発明の一実施の形態に係る振出竿固着解除器を示す図である。（Ａ）は平面図であり、（Ｂ）は側面図である。
図２（Ａ）〜（Ｃ）は、図１の振出竿固着解除器の使用方法を説明するための図である。
図３（Ａ）〜（Ｃ）は、図１の振出竿固着解除器の作用を説明するための図である。
【００２３】
図１に示す振出竿固着解除器（以下、単に解除器という）１０は、長方形をした２枚の帯状のベルト１１を備えている。これらベルト１１は、図７等を参照しつつ前述した振出竿１の外周に巻き付け可能であり、柔軟で竿表面との摩擦係数の高い材料（例えばゴム等）で形成されている。２枚のベルト１１の間には、弾性率が高く伸びにくい糸状体（横糸、例えばポリエチレンやポリスチレン製）１３が複数（図１の例では１６本）張られている。各横糸１３は、互いに平行に一定間隔を開けて並んでいる。解除器１０の寸法は、一例で、各ベルト１１の縦幅１５０ｍｍ、横幅３０ｍｍ、厚さ１ｍｍ、両ベルト１１の間隔（張られている横糸１３の長さ）１０ｍｍである。
【００２４】
この解除器１０は、互いに間隔を開けて複数の横糸１３を並べ、それらの左右端部それぞれに、射出成形又はプレス成形でベルト１１を一体化させて形成することができる。あるいは、互いに間隔を開けて複数の横糸１３を並べ、それらの左右端部それぞれを、厚さ方向に分割した板状のベルト材で挟んだ後に貼り合せること等によって形成することもできる。このように、本発明に係る解除器１０は簡単な構成であり、製造コストも低くて済む。
【００２５】
次に、図２を参照しつつ、図１の解除器１０を用いて、振出竿の２節の継ぎ目の固着を解除する操作について述べる。
まず、図２（Ａ）に示すように、振出竿の隣り合う２節Ｔ（竿先側）、Ｂ（竿元側）の継ぎ目Ｘが固着した場合、この継ぎ目Ｘの境界Ｘ′（竿元側の節Ｂの先端部）を跨ぐように解除器１０の横糸１３を配置し、２枚のベルト１１のそれぞれを節Ｔ、Ｂの外周に沿って巻き付ける。このとき、２枚のベルト１１の間の横糸１３の隙間から継ぎ目Ｘの位置がよく見えるので、間違った位置（例えば継ぎ目Ｘの境界Ｘ′を跨ぐ位置）にベルト１１を巻き付ける心配がない。次に、図２（Ｂ）に示すように、各節Ｔ、Ｂに巻き付けた各ベルト１１を、指で挟むようにしっかりと押える。そして、図２（Ｃ）に示すように、節Ｔ、Ｂを互いに逆方向に回すようにねじる。すると、以下に図３を用いて詳述するように、節Ｔ、Ｂには互いに引き寄せ合う方向に力Ｆが働き、継ぎ目Ｘの固着が解除される。
【００２６】
この際の継ぎ目Ｘの固着解除時の力の作用について、図３を参照しつつ述べる。なお、図３において、解除器１０は模式的に描いている。
図３（Ａ）に示すように、解除器１０の横糸１３が継ぎ目Ｘの境界Ｘ′を跨ぐように、２枚のベルト１１を節Ｔ、Ｂの外周に沿って巻き付ける。このとき、２枚のベルト１１間の距離Ｌは横糸１３の長さと等しく、各横糸１３は節Ｔ、Ｂの軸芯Ｏとほぼ平行に延びている（斜めであってもよい）。竿先部寄りの部分（竿の先端から１〜２ｍ程度の部分）の節は、外径が２〜５ｍｍ程度であるが、ベルト１１を巻き付けた部分の外径は、元の竿径の倍以上となることもある。
【００２７】
この状態から、図３（Ｂ）に示すように、節Ｔ、Ｂに巻き付けたそれぞれのベルト１１を掴んで、前述の要領でゆっくりねじる。このとき、ベルト１１を巻き付けた部分の外径は、元の竿径より大きいので、小さな力でねじっても比較的大きなねじりモーメントが生じる。そして、各ベルト１１は、高い摩擦力で節Ｔ、Ｂの表面にしっかりと巻き付いているので、ねじると同時に各節Ｔ、Ｂが周方向に回り始めようとする。ここで、ベルト１１を掴んでねじるとき、軸芯Ｏと平行に継ぎ目Ｘの周囲に張り廻らされている横糸１３の張力が、節Ｔ、Ｂの曲がりに対する抵抗となる。そのため、節Ｔ、Ｂは、ほぼ軸芯Ｏを中心として回り始めようとするので、誤って節を曲げて破損したりする危険性が低くなる。
【００２８】
ねじりが進むに連れて、図３（Ａ）の状態では軸芯Ｏとほぼ平行であった横糸１３が、軸芯Ｏに対して角度をなすようになる。このとき、各横糸１３が軸芯Ｏに対して角度をなすに連れて、両方のベルト１１の間で横糸１３が斜めに引き延ばされようとするが、各横糸１３は弾性率が高く伸びにくいため、横糸１３は実際にはほとんど延びずに張力が生じ、その張力が両節Ｔ、Ｂを引き寄せ合う力Ｆとなる。このようにして、一方の節が他方の節に押し込まれる力が働き、ベルト１１と節Ｔ、Ｂとのすべりやベルト１１そのものの変形がないとすると、２枚のベルト１１間の距離が短くなり（Ｌ→Ｌ′）、節Ｔが節Ｂの中に入っていき、継ぎ目Ｘの固着が解除されていく。ここで、各横糸１３は、継ぎ目Ｘの周囲に張り廻らされているので、節Ｔ、Ｂがほぼ軸芯Ｏを中心として回る際に、前述の力Ｆを軸芯Ｏ上で作用させるための補助ともなる。これによっても、ベルト１１を掴んでねじる際に、誤って節を曲げて破損したりする危険性が低くなる。
【００２９】
本発明に係る解除器１０を、前述した図１１のバンド７と比較する。
図１１のバンド７は、単体のバンドを各節の外周にそれぞれ巻き付け、両バンドを掴んでねじりを加えながら同時に節Ｔを節Ｂに押し込むようにする。この場合は、２つの動作（ねじりと押し付け）を同時に行うこととなる。
これに対し、本発明に係る解除器１０は、巻き付けたベルト１１をねじるだけで、前述した通り、横糸１３の張力で節Ｔが節Ｂの中に押し込まれていくため、１つの動作（ねじり）で確実に且つ安全に固着を解除することができる。
【００３０】
なお、図３（Ｃ）に示すように、角度αのねじったときの２節の押し込み幅Ｈは、ベルト巻き付け時のベルト間の距離Ｌ（図３（Ａ）参照）と、ねじりを加えた時のベルト間の距離Ｌ′（図３（Ｂ）参照）との差であり、ベルト１１と節Ｔ、Ｂとのすべりやベルト１１そのものの変形がなく、横糸１３の伸びがゼロとすると、
Ｈ＝Ｌ−Ｌ′＝Ｌ−Ｌ・ｃｏｓα＝Ｌ（１−ｃｏｓα）
となる。
ベルト１１は、その全縦幅を竿に巻き付ける必要はなく、最低限、節の外周を１周して、横糸１３が継ぎ目の周りを囲んだ状態とし、横糸１３が均等に張られるようにすればよい。より強いねじりモーメントを生じさせる必要がある場合は、ベルトの巻き数を増やし、巻き付き径を大きくすることで対応できる。
【００３１】
以下、本発明に係る解除器の他の実施の形態について述べる。
図４は、本発明の他の実施の形態に係る振出竿固着解除器を示す平面図である。
この図に示す解除器２０のベルト２１は、幅の狭い部分２１Ａ（図の上側）と幅の広い部分２１Ｂ（図の下側）とを備えている。幅の狭い部分２１Ａの両ベルトの間隔は、幅の広い部分２１Ｂの両ベルトの間隔よりも狭く、それぞれに短い横糸２３Ａと長い横糸２３Ｂとが張られている。幅の狭い部分２１Ａは竿径の細い節に対して用い、幅の広い部分２１Ｂは竿径の太い節に対して用いる。
このような解除器２０は、竿先寄りの細い節の継ぎ目の固着解除にも、竿元寄りの太い節の継ぎ目の固着解除にも使用できるので、大部分の竿径に対応できる。もちろん、径の細い節専用の解除器と、径の太い節専用の解除器とを個別に用意することもできるが、この解除器２０によれば１セット（単体）で済む利点がある。
【００３２】
図５は、本発明の他の実施の形態に係る振出竿固着解除器を示す平面図である。
この図に示す解除器３０のベルト３１は、ポリエチレン又はポリエステル製（一例）の丈夫な糸状繊維を混入したゴムシート、又は、ポリエチレン又はポリエステル製（一例）の繊維材を表面に貼り付けたゴムシートである。このベルト３１の中央部には、一定間隔で複数のスリット３２が切られている。そして、各スリット３２の間の繋ぎ部分３３が、前述した横糸と同じ役割を果たすようになっている。
【００３３】
図６は、本発明の他の実施の形態に係る振出竿固着解除器を示す平面図である。
この図に示す解除器４０は、メッシュ状に編んだ丈夫な糸４３の両側部に、ゴム等の滑り止め素材４１をコーティングしたものである。この解除器４０では、滑り止め素材４１をコーティングした部分が前述のベルトの役割を果たし、滑り止め素材４１間の糸４３ａが前述の横糸の役割を果たす。
【図面の簡単な説明】
【００３４】
【図１】本発明の一実施の形態に係る振出竿固着解除器を示す図である。（Ａ）は平面図であり、（Ｂ）は側面図である。
【図２】図１の振出竿固着解除器の使用方法を説明するための図である。
【図３】図１の振出竿固着解除器の作用を説明するための図である。
【図４】本発明の他の実施の形態に係る振出竿固着解除器を示す平面図である。
【図５】本発明の他の実施の形態に係る振出竿固着解除器を示す平面図である。
【図６】本発明の他の実施の形態に係る振出竿固着解除器を示す平面図である。
【図７】振出竿の典型例を示す図である。（Ａ）は収納時の縮めた状態を示す斜視図であり、（Ｂ）は使用時の延ばした状態を示す斜視図であり、（Ｃ）は使用時における２節の継ぎ目を示す断面拡大図である。
【図８】図７の振出竿の使用状態を模式的に示す図である。
【図９】振出竿の隣り合う２節の継ぎ目の固着解除構造の一例を示す断面図である。
【図１０】振出竿の隣り合う２節の継ぎ目の固着解除方法の一例を示す図である。
【図１１】固着の解除に用いることのできるバンドの例を示す図である。（Ａ）はバンドを示す図であり、（Ｂ）はバンドの使用方法を説明するための図である。
【図１２】（Ａ）は振出竿の隣り合う２節の継ぎ目を示す断面拡大図であり、（Ｂ）は振出竿の隣り合う２節の継ぎ目の固着解除操作時に起こり得る問題点を説明するための断面図である。
【符号の説明】
【００３５】
１  振出竿                              ２、Ｔ、Ｂ  節
２Ｔ  最も竿先側の節（竿先部）          ２Ｂ  最も竿元側の節（竿元部）
３  道糸                                Ｘ  継ぎ目
１０  振出竿固着解除器
１１  ベルト                            １３  糸状体（横糸）
２０  解除器                            ２１  ベルト
２１Ａ  幅の狭い部分                    ２１Ｂ  幅の広い部分
２３Ａ  短い横糸                        ２３Ｂ  長い横糸
３０  解除器                            ３１  ベルト
３２  スリット                          ３３  繋ぎ部分
４０  解除器                            ４１  滑り止め素材
４３  糸
【図１】
2007111014.tif 000003
【図２】
2007111014.tif 000004
【図３】
2007111014.tif 000005
【図４】
2007111014.tif 000006
【図５】
2007111014.tif 000007
【図６】
2007111014.tif 000008
【図７】
2007111014.tif 000009
【図８】
2007111014.tif 000010
【図９】
2007111014.tif 000011
【図１０】
2007111014.tif 000012
【図１１】
2007111014.tif 000013
【図１２】
2007111014.tif 000014